(57)【特許請求の範囲】
【請求項１】
挿口側に取付ける治具と、一方端を受口側に引掛ける連結プレートとからなり、治具は、管外面に対する固定機能を持った治具本体と、この治具本体に回動自在に設けられたクランク体とで構成され、クランク体は、先端に突子を有し、クランク基部はレンチ結合形状になっており、また、連結プレートには、突子係合用の切欠が複数個形成されている管接合工具。
【請求項２】
クランク体の基部が、ナット状の６角形状になっている請求項１記載の管接合工具。
【請求項３】
治具本体は、ヒンジで開閉自在に連結された半円弧状の２つのバンド分体と、この両バンド分体の自由端同士を挟み付ける締付具とからなる請求項１記載の管接合工具。
【発明の詳細な説明】
【０００１】
【発明の属する技術分野】
この発明は、スリップオン形の接合形式を持った管の接合、あるいは解体に用いる管接合工具に関する。
【０００２】
【従来の技術】
スリップオン形式の鋳鉄管などの接合に用いる管接合工具は、既に従来から提案されていて、その一般的構造は、挿口側と受口側との双方に治具を取付け、この両治具間に引張装置を掛け渡して、引張力を加え、受口内に挿口を強制的に挿込むようにする形式である。また、従来、その引張装置としては、一般に油圧シリンダ、チェーンブロック、ラック・ピニオン機構などが用いられている。
【０００３】
【発明が解決しようとする課題】
ところが、従来の管接合工具は、いずれも実用上、充分なものとは言えない。例えば、引張装置に油圧シリンダやラック・ピニオンを用いたものでは、構造が複雑となって、コスト高になる上に、取扱いが難しくて、現場での使用に適さない。また、チェーンブロックを用いたものでは、接合には利用できるが、解体には利用できないという問題がある。
【０００４】
本発明はこのような点に鑑み、接合にも、解体にも利用できる管接合工具を提供するにある。また、本発明は、構造が簡単で、コストが低く、その上、取扱い易くて、現場使用に適する管接合工具を提供するにある。更に、本発明は、接合ストロークが長い場合でも、作業が簡単な管接合工具を提供するにある。
【０００５】
【課題を解決するための手段】
本発明の管接合工具の技術的手段は、挿口側に取付ける治具と、一方端を受口側に引掛ける連結プレートとからなり、治具は、管外面に対する固定機能を持った治具本体と、この治具本体に回動自在に設けられたクランク体とで構成され、クランク体は、先端に突子を有し、クランク基部はレンチ結合形状になっており、また、連結プレートには、突子係合用の切欠が複数個形成されていることにある。
【０００６】
また、クランク体の基部は、ナット状の６角形状にするのがよい。更に、治具本体は、ヒンジで開閉自在に連結された半円弧状の２つのバンド分体と、この両バンド分体の自由端同士を挟み付ける締付具とで構成するのがよい。
【０００７】
【発明の実施の形態】
本発明の管接合工具の実施の形態を図面の実施例に基づいて説明する。図示例は、バルブＡの受口Ｂに、鋳鉄管などの管Ｃの挿口Ｄを接合する例であり、図１は接合時の使用状態、図２は工具構成部材を分解した状態を示す。接合工具は、管Ｃに取付ける治具１と、左右１対の連結プレート２及びレンチ３とからなる。
【０００８】
治具１の詳細は図３に示されている。１０は治具本体である。１１は管Ｃの外面を抱き込むバンドで、半円弧状の２つのバンド分体１１ａ、１１ｂからなり、この両バンド分体はヒンジ１２によって開閉自在である。両バンド分体の先端には、両者を挟み付ける為の締付具１３が付いている。実施例の締付具１３は、一方のバンド分体１１ａ先端に旋回回動自在に取付けられたネジ棒１４と、他方のバンド分体１１ｂ先端に付設された、ネジ棒嵌入用切欠を有する押さえ突部１５と、ハンドル付きのナット１６とからなる。従って、この治具本体１０を管Ｃに取付けるには、管Ｃの外面の適所を、バンド分体で抱き込み、次に、ネジ棒１４を旋回回動させて、押さえ突部１５に嵌結合させ、最後に、ナット１６を締め込む。なお、ナット１６は特別な工具を要さずに、手で締め込むことができる。これによって、バンド１１は管Ｃの外面に強固に圧接固定される。
【０００９】
左右のバンド分体１１ａ、１１ｂの側面には、それぞれ、軸１７が突出状に付いていて、この軸１７にはクランク体１８が回動自在に嵌合している。クランク体１８の先端には、連結プレート２と嵌係合する突子１９が付いている。また、クランク体１８の基部２０は、ナット状の６角形状になっていて、ここにレンチ３が結合される。なお、図示例では、クランク体１８の回動範囲を規制する為のストッパー機構が付いていて、２１はバンドに付設したロッド、２２はクランク体１８に設けた弧状の突鍔で、この両者が衝突しない範囲でクランク体１８は回動可能である、この回動規制により、クランク体は常に上方に位置するようになり、１８０゜回動可能なもののように、クランクが不用意な位置を占めることがないので、連結プレート２との結合時に都合がよい。
【００１０】
連結プレート２は、一方端にフック部２５を有し、かつ、反対側には長手方向に沿って、クランク体の突子１９と嵌結合する切欠２６が適当な間隔で複数個（図示例では３個）形成されている。従って、この連結プレート２は、そのフック部２５をバルブ受口Ｂの側面に設けられたリング状の引掛け部２７に引掛ける一方、適当な位置の切欠２６にクランク体の突子１９を嵌係合させて、セットする。なお、受口Ｂに引掛部２７が設けられていない場合には、受口Ｂに、引掛部を有する治具を別に取付けるようにする。
【００１１】
レンチ３は一方端に結合部３１を有し、この結合部３１は、クランク体の６角ナット状基部２０と嵌結合する。３２はレンチのハンドル部である。
【００１２】
次に、前記接合工具の使用法について説明する。先ず、管Ｃに治具１をセットする。このセット方法は、前記のようにバンド分体で管の外面を抱き込み、締付具１３のナット１６を手で締込んで、治具１１を管にしっかりと固定させる。次に管受口の引掛け部２７と、クランク体の突子１９との間に連結プレート２を掛け渡す。これは左右両側で同様に行う。続いて、２本のレンチ３を、左右のクランク体の６角基部２０に結合させ、ハンドル部３２を手で持って、接合時は後方に、解体時には前方に回動させる。これによりクランク体１８が旋回回動し、連結プレート２を介して、受口Ｂと挿口Ｄとに、挿込み方向、あるいは引抜き方向に力がかかり、両者は接合、あるいは解体される。なお、受口と挿口との結合ストロークが長い場合には、突子１９と係合する切欠の位置を変えて、数回、作業する。
【００１３】
本発明は、前記の実施例に限定されるものではなく、特許請求の範囲の記載の範囲内で自由に変形実施可能である。特に、治具本体１０の構造、クランク体１８の形状、連結プレート２と受口Ｂとの連結形式などは自由である。
【００１４】
【発明の効果】
本発明の管接合工具は、挿口側の管に治具を取付け、治具のクランク体と受口とを連結プレートで結び、クランク基部をレンチで回動させることにより、管の接合、あるいは解体を極めて簡単に行うことができる。また、本発明の工具では、クランク方式を採用しているので、工具の構成が簡単となり、コストが低く、取扱いが容易で、現場での作業に適する。更に、本発明では、連結プレートに、突子係合用の切欠が複数個設けられているので、接合ストロークが長い場合でも、切欠を変えて数度作業するだけ、完全な接合を行うことができ、従来のように治具の位置を付け変える必要がない為、作業が極めて楽である。
【００１５】
請求項２のものは、クランク基部が６角ナット状であるから、回動作業には一般のレンチを用いることができ、作業性がよい。
【００１６】
請求項３のものは、治具をバンド方式で管に取付けるので、治具の着脱が容易で、固定強度が高く、その上、構造が簡単で、製造コストを下げることができる。
【図面の簡単な説明】
【図１】本発明の管接合工具の使用状態の側面図。
【図２】工具の分解状態の側面図
【図３】治具の断面図
【符号の説明】
１              治具
２              連結プレート
３              レンチ
１０            治具本体
１１            バンド
１１ａ、１１ｂ  バンド分体
１２            ヒンジ
１３            締付具
１４            ネジ棒
１５            押さえ突部
１６            ナット
１７            軸
１８            クランク体
１９            突子
２０            ６角基部
２５            フック部
２６            切欠
【図１】
0004283937.tif 000002
【図２】
0004283937.tif 000003
【図３】
0004283937.tif 000004